(57)【要約】【課題】  本発明は、オーディオ再生サーバからオーディオ出力装置に伝送すべき複数の信号のうち、いずれかの２信号を重畳して１信号にして伝送し、使用ケーブルの本数を低減できる遠隔再生システムを提供する。【解決手段】  遠隔再生システムは、オーディオ再生サーバから取得されたアナログオーディオ信号をデジタルデータ信号に変換するアナログ・デジタル変換器５１と、前記デジタルデータ信号とステレオ信号とで重畳信号を作成する重畳回路５２とを含む送信側出力回路５と、該送信側出力回路からケーブル７を介して伝送された重畳信号を、前記デジタルデータ信号とステレオ信号とに分離する分離回路６１と、該分離された前記デジタルデータ信号をアナログ化するデジタル・アナログ変換回路６２とを含む受信側入力回路６を備え、受信側入力回路がアナログオーディオ信号をスピーカ３に出力する。【選択図】      図１
2006166209.tif 000002
【特許請求の範囲】
【請求項１】
オーディオ再生サーバから取得されたアナログオーディオ信号をデジタルデータ信号に変換するアナログ・デジタル変換器と、前記デジタルデータ信号とステレオ信号とで第１重畳信号を作成する重畳回路とを含む送信側出力回路と、
前記送信側出力回路から第１ケーブルを介して伝送された前記第１重畳信号を、前記デジタルデータ信号と前記ステレオ信号とに分離する分離回路と、該分離された前記デジタルデータ信号をアナログ化するデジタル・アナログ変換回路とを含む受信側入力回路と、
を備え、前記受信側入力回路が前記アナログオーディオ信号をオーディオ出力装置に出力する遠隔再生システム。
【請求項２】
前記重畳回路は、再生処理に使用されるシステムクロック信号とビットクロック信号とで第２重畳信号を作成し、
前記分離回路は、前記送信側出力回路から第２ケーブルを介して伝送された前記第２重畳信号をシステムクロック信号とビットクロック信号とに分離することを特徴とする請求項１に記載の遠隔再生システム。
【請求項３】
再生処理に使用されるシステムクロック信号が、前記送信側出力回路から第２ケーブルを介して前記受信側入力回路に伝送されることを特徴とする請求項１に記載の遠隔再生システム。
【請求項４】
前記重畳回路は、前記オーディオ信号と前記ステレオ信号とに基づいて、加算又は減算処理することにより、前記第１重畳信号を作成することを特徴とする請求項１乃至３のいずれか一項に記載の遠隔再生システム。
【請求項５】
前記第１ケーブル及び前記第２ケーブルは、２線１対のツイストケーブルであることを特徴とする請求項２乃至４のいずれか一項に記載の遠隔再生システム。
【発明の詳細な説明】
【技術分野】
【０００１】
本発明は、遠隔再生システムに関し、特に、オーディオ再生サーバと遠隔な場所に置かれたスピーカなどの出力装置を、該サーバに接続されたキーボード・マウスなどで操作できる遠隔制御再生システムに関する。
【背景技術】
【０００２】
従来から、オーディオ情報の再生装置として、テープ、ＣＤ、ＤＶＤなどの記録媒体から取り出したデジタルオーディオ信号をスピーカに出力するものが、種々開発されている（例えば、特許文献１、２などを参照）。
【０００３】
図６に、従来の再生装置の代表例として、ＣＤ再生システムの場合の概略ブロック構成を示した。図６では、従来のＣＤ再生システムの一部が取り出されて示されている。このＣＤ再生システムでは、オーディオ再生サーバ１、デジタル・アナログ（ＤＡ）変換回路２、スピーカ３が接続されている。オーディオ再生サーバ１には、ＣＤ再生用プロセッサＩＣが含まれており、ＣＤから取り出されたオーディオ信号としてデジタルデータを出力し、該オーディオ信号に係るＬチャンネルとＲチャンネルとを見分けるためのステレオ（Ｒ／Ｌ）信号と、デジタルデータの入出力のタイミングを決めるクロック信号とを出力する。
【０００４】
オーディオ再生サーバ１から出力されたオーディオ信号と、ステレオ信号と、クロック信号は、デジタル・アナログ（ＤＡ）変換回路２に入力される。ここで、オーディオ信号は、ステレオ信号とクロック信号に従って、ステレオのアナログ信号に変換され、スピーカ３に出力されて、オーディオ信号が、音として再生される。
【０００５】
【特許文献１】特開平４−３０７４７０号公報
【特許文献２】特開平８−９６５１２号公報
【発明の開示】
【発明が解決しようとする課題】
【０００６】
ところで、上述した従来の再生システムでは、一般に、低コスト化を図るため、ＣＤ再生用プロセッサＩＣと、ＤＡ変換回路とは、一体的に組み込まれた構成にされている。しかしながら、スピーカなどの出力装置を、ＣＤ再生サーバから遠く離れた場所に設置せざるを得ない場合があり、この場合、ＣＤ再生サーバと出力装置とは、ローカルエリアネットワーク（ＬＡＮ）で接続される。
【０００７】
このとき、図６に示された構成の再生システムである場合、アナログの出力信号をスピーカ３に送出したのでは、Ｓ／Ｎ比の問題や、信号の減衰の問題などを考慮すると、ＤＡ変換回路２とスピーカ３との間を、長いケーブルで接続したのでは、得策ではない。そこで、ＤＡ変換回路２とスピーカ３とを、オーディオ再生サーバ１から離して設置し、デジタルデータで伝送できるＤＡ変換回路２とオーディオ再生サーバとの間を、長いケーブルで接続することが考えられる。
【０００８】
この場合には、オーディオデジタルデータのオーディオ信号、Ｌ／Ｒデジタルデータのステレオ信号、そして、システムクロックのクロック信号の夫々について、２線１対によるツイストケーブルで伝送するようになるので、３対のツイストケーブル（６本の線）を用意する必要がある。なお、ビットクロックをシステムクロックとは別に送信する場合には、このビットクロック伝送用のツイストケーブルを、さらに１対追加する必要がある。
【０００９】
この様に、オーディオ再生サーバ１から遠隔に設置されたＤＡ変換回路２とスピーカ３にデジタルデータで伝送する場合には、少なくとも３対のツイストケーブルが必要になり、オーディオ再生サーバと出力装置のスピーカが遠くに離れるほど、それらに使用するケーブルの長さが、長くなり、コストが嵩む問題が生じる。
【００１０】
そこで、本発明は、オーディオ再生サーバから出力装置に伝送すべきオーディオ信号、ステレオ信号、又は、クロック信号のうち、いずれかの２信号を重畳して１信号にして伝送することにより、使用するケーブルの本数を低減することができる遠隔再生システムを提供することを目的とする。
【課題を解決するための手段】
【００１１】
以上の課題を解決するために、本発明では、遠隔再生システムにおいて、オーディオ再生サーバから取得されたアナログオーディオ信号をデジタルデータ信号に変換するアナログ・デジタル変換器と、前記デジタルデータ信号とステレオ信号とで第１重畳信号を作成する重畳回路とを含む送信側出力回路と、前記送信側出力回路から第１ケーブルを介して伝送された前記第１重畳信号を、前記デジタルデータ信号と前記ステレオ信号とに分離する分離回路と、該分離された前記デジタルデータ信号をアナログ化するデジタル・アナログ変換回路とを含む受信側入力回路とを備え、前記受信側入力回路が前記アナログオーディオ信号をオーディオ出力装置に出力するようにした。
【００１２】
そして、前記重畳回路では、再生処理に使用されるシステムクロック信号とビットクロック信号とで第２重畳信号を作成し、前記分離回路は、前記送信側出力回路から第２ケーブルを介して伝送された前記第２重畳信号をシステムクロック信号とビットクロック信号とに分離することとした。
【００１３】
さらに、再生処理に使用されるシステムクロック信号が、前記送信側出力回路から第２ケーブルを介して前記受信側入力回路に伝送されることとした。
【００１４】
前記重畳回路は、前記オーディオ信号と前記ステレオ信号とに基づいて、加算又は減算処理することにより、前記第１重畳信号を作成することとした。
【００１５】
また、前記第１ケーブル及び前記第２ケーブルは、２線１対のツイストケーブルであることとした。
【発明の効果】
【００１６】
以上の様に、本発明の遠隔再生システムにおいて、送信側出力回路と受信側入力回路をケーブルで接続するようにし、送信側出力回路では、オーディオ再生サーバから取得されたアナログオーディオ信号をデジタルデータ信号に変換し、該デジタルデータ信号とステレオ信号とで重畳信号を作成し、受信側入力回路では、送信側出力回路からケーブルを介して伝送された前記重畳信号を、前記デジタルデータ信号と前記ステレオ信号とに分離し、該デジタルデータ信号をアナログ化し、オーディオ信号をスピーカに出力している。
そのため、オーディオ再生サーバから遠隔に設置されたＤＡ変換回路とスピーカにデジタルデータで伝送することができ、従来技術によれば、少なくとも３対のツイストケーブルが必要であったのに対し、２対のツイストケーブルで済むことになり、ケーブルの本数を減らすことができる。オーディオ再生サーバと出力装置のスピーカが遠くに離れ、使用するケーブルの長さが、長くなっても、低コスト化を図ることができる。
【発明を実施するための最良の形態】
【００１７】
次に、本発明の遠隔再生システムの実施形態について、図を参照しながら、以下に説明する。図１に、本実施形態による遠隔再生システムの概略ブロック構成が示されている。この遠隔再生システムには、オーディオ再生サーバ４、送信側出力回路５、受信側入力回路６、スピーカ３が備えられる。送信側出力回路５は、オーディオ再生サーバ４に付属して接続されており、受信側入力回路６とＲＪ４５コネクタを介して長いＬＡＮケーブルで接続される。受信側入力回路６は、出力装置としてスピーカ３に接続される。
【００１８】
送信側出力回路５は、ＡＤ変換回路５１と、オーディオ信号重畳回路５２を含んでおり、ＡＤ変換回路５１は、ＣＤなどから取得されたオーディオ信号をオーディオ再生サーバ４から受け取り、オーディオ信号のアナログ信号をデジタルデータに変換する。このデジタルデータのオーディオ信号は、オーディオ信号重畳回路５２に送られ、ここで、オーディオ信号は、受信側入力回路６に伝送されるべき信号のうちの一つであるステレオ（Ｌ／Ｒ）信号と重畳処理され、オーディオ信号とステレオ信号とが１重畳信号に生成される。
【００１９】
さらに、送信側出力回路５においては、受信側入力回路６に伝送されるべき信号に、ＤＡ変換器のためのシステムクロック信号と、同期をとるためのビットクロック信号との両方が含まれている場合には、オーディオ信号重畳回路５２で、システムクロック信号とビットクロック信号とが重畳処理され、１重畳信号に生成される。なお、ビットクロック信号が、受信側入力回路６内で、システムクロック信号に基づいて作成される場合には、システムクロック信号に対して重畳処理を行う必要がなく、システムクロック信号が単独で１信号として伝送される。
【００２０】
一方、受信側入力回路６は、オーディオ信号分離回路６１と、ＤＡ変換回路６２と含んでおり、ケーブル７で受信した重畳信号は、オーディオ信号分離回路６１で、重畳された元の信号に分離される。分離されたオーディオ信号は、伝送されたクロック信号に従って、ＤＡ変換回路６２でデジタルデータからアナログ信号に変換され、スピーカ３にオーディオ信号として出力される。
【００２１】
ここで、送信側出力回路５と受信側入力回路６とを接続するケーブル７の構成を図２に示した。図１では、ケーブル７が長いことを表すため、線路の途中を破線で示されているが、実際には、ケーブル７は、２対の線によるツイストケーブルを２本からなっている。図２では、ケーブル７として、２本のツイストケーブルＬ１とＬ２が示されている。
【００２２】
ツイストケーブルＬ１は、送信側出力回路５から受信側入力回路６に向けて、オーディオ信号とステレオ信号とによる重畳信号を伝送し、ツイストケーブルＬ２は、同様に、送信側出力回路５から受信側入力回路６に向けて、システムクロック信号とビットクロック信号による重畳信号、又は、システムクロック信号を伝送する。この様に、従来の伝送方式に従ったケーブルでは、少なくとも３本のツイストケーブルが必要であったのに対し、本実施形態による伝送方式によると、２本のツイストケーブルで済み、使用する本数を減らすことができるため、コストを低減することができる。
【００２３】
次に、受信側出力回路５のオーディオ信号重畳回路５２における重畳処理の仕方について、図３及び図４を参照しながら説明する。図３は、オーディオ信号重畳回路５２に入力されるオーディオ信号とステレオ信号の波形と、それら信号の重畳処理後の信号波形を示し、図４は、その重畳回路の具体例を示している。
【００２４】
図４（ａ）に、重畳回路の概要が示されている。重畳回路５２の入力端子の一方には、オーディオ信号をＡＤ変換回路５１でデジタル化されたデータ信号が入力され、他方の入力端子には、基準信号として、ステレオ（Ｌ／Ｒ）信号が入力される。例えば、オーディオ信号のデータ信号は、図３（ａ）に示されるように、信号レベルＶｉを有するデジタル波形であるとする。また、基準信号となるＬ／Ｒ信号は、図３（ｂ）に示されるように、信号レベルＶｒを有するデジタル波形であるとする。
【００２５】
ここで、重畳回路５２の具体例が、図４（ｂ）に示される。重畳回路５２は、例えば、差動増幅器Ａ１で構成され、差動増幅器Ａ１の正入力端子には、データ信号が入力され、Ｒｅｆ入力端子を基準入力として、Ｌ／Ｒ信号が入力される。この様に、差動増幅器Ａ１に図３（ａ）及び（ｂ）の各信号が入力されると、この重畳回路５２における重畳は、２信号の加算となり、その重畳信号は、図３（ｃ）に示される波形となる。基準信号が信号レベルＶｒであるときに、データ信号が、信号レベルＶｉにある場合には、加算されて、その信号レベルは、Ｖｉ＋Ｖｒとなる。また、基準信号が信号レベル０であるときに、データ信号が、信号レベルＶｉにある場合には、加算されて、その信号レベルは、Ｖｉとなる。
【００２６】
以上に説明した重畳処理では、入力される２信号が重畳回路５２で加算される場合であったが、この重畳回路５２において減算する差動増幅器で構成し、Ｌ／Ｒ信号を基準信号として入力し、負入力端子にデータ信号を入力することによって、減算によって重畳信号を生成するようにしても良い。
【００２７】
図３（ｄ）に、図３（ｂ）のＬ／Ｒ信号から、図３（ａ）に示されたデータ信号を減算することによって生成された重畳信号の波形が示されている。基準信号が信号レベルＶｒであるときに、データ信号が、信号レベルＶｉにある場合には、減算されて、その信号レベルは、Ｖｒ−Ｖｉとなる。また、基準信号が信号レベル０であるときに、データ信号が、信号レベルＶｉにある場合には、減算されて、その信号レベルは、−Ｖｉとなる。この場合の重畳信号の波形は、０レベルを挟んで正側と負側とに現れる。
【００２８】
なお、減算による重畳信号の生成には、上述した入力の仕方と逆にして、データ信号を基準信号として入力し、負入力端子にＬ／Ｒ信号を入力することによって、減算による重畳信号を生成することもできる。この場合の重畳信号は、図示されていないが、図３（ｄ）に示された波形とは異なったものとなる。Ｌ／Ｒ信号が、信号レベルＶｒにある場合には、データ信号が０レベルであると、その重畳信号レベルは、−Ｖｒとなる。また、Ｌ／Ｒ信号が０レベルである場合に、データ信号が０レベルであると、その重畳信号レベルは、０レベルとなり、データ信号が信号レベルＶｉであるときには、その重畳信号レベルは、Ｖｉとなる。
【００２９】
以上では、図３（ａ）に示されたデータ信号と、同（ｂ）に示されたＬ／Ｒ信号とに基づいて、重畳信号を生成する場合について説明したが、システムクロック信号とビットクロック信号とに基づく重畳信号の生成も、上述した重畳処理と同様の仕方によって実現することができる。
【００３０】
これまでの説明では、送信側出力回路５におけるオーディオ信号重畳回路５２の重畳処理の仕方が扱われたが、次に、受信側入力回路６におけるオーディオ信号分離回路６２の分離処理について、図５を参照しながら説明する。このオーディオ信号分離回路６２における分離処理は、基本的に、重畳処理の逆の処理を実行することによって実現される。
【００３１】
図５（ａ）は、オーディオ信号分離回路６２の概要を示し、分離回路６２の入力端子に、送信側出力回路５からケーブル７を介して伝送された重畳信号が入力され、ここで、重畳信号からデータ信号と基準信号となるＬ／Ｒ信号とに分離され、データ信号は、ＤＡ変換回路６２に送られて、オーディオ信号としてスピーカに出力される。
【００３２】
図５（ｂ）は、オーディオ信号分離回路６２の具体例を示している。分離回路は、２個の差動増幅器Ａ２、Ａ３で構成される。図３（ｃ）に示される重畳信号の差動出力が、ケーブル７を通して伝送され、差動増幅器Ａ２の正入力端子と負入力端子とに入力される。この差動増幅器Ａ２で、重畳信号からデータ信号が分離して出力される。
【００３３】
一方、差動増幅器Ａ３の正入力端子には、差動増幅器Ａ２の正負入力端子間に接続された抵抗Ｒによって検出された重畳信号の差動出力の中点レベルが入力され、その負入力端子は、接地され、０レベルが入力される。この差動増幅器Ａ３によって、基準信号となっているＬ／Ｒ信号が重畳信号から分離されて出力される。
【００３４】
以上のように、図３（ｃ）に示された加算によって生成された重畳信号から、データ信号とＬ／Ｒ信号とを分離処理することができるが、図３（ｄ）に示された減算によって生成された重畳信号からも、同様の分離回路構成によって、データ信号とＬ／Ｒ信号と分離処理することができる。この減算による重畳信号の場合には、重畳信号の差動出力の中点レベルが差動増幅器Ａ３の負入力端子に入力され、正入力端子を接地して、０レベルを入力する必要がある。
【００３５】
以上に説明したように、本実施形態による遠隔再生システムでは、オーディオ再生サーバで生成されたオーディオ信号をアナログで出力装置に送出するのではなく、デジタル信号に変換されたデータ信号とし、このデータ信号と、伝送されるステレオ信号とを重畳処理して、１重畳信号を生成し、或いは、システムクロック信号とビットクロック信号とを重畳処理して、１重畳信号を生成することにより、伝送に必要なツイストケーブルの本数を減らすことができる。
【図面の簡単な説明】
【００３６】
【図１】本発明による遠隔制御再生システムの実施形態を示す概略ブロック構成を説明する図である。
【図２】本発明による遠隔制御再生システムにおけるケーブル伝送の仕方を説明する図である。
【図３】本発明による遠隔制御再生システムにおける２種類の信号波形を示して伝送信号を重畳する仕方を説明する図である。
【図４】本発明による遠隔制御再生システムにおける送信側の信号重畳回路の具体例を説明する図である。
【図５】本発明による遠隔制御再生システムにおける受信側の信号分離回路の具体例を説明する図である。
【図６】従来技術による再生システムの概略ブロック構成を説明する図である。
【符号の説明】
【００３７】
１、４    オーディオ再生サーバ
２、６２    デジタル・アナログ（ＤＡ）変換回路
３    スピーカ
５    送信側出力回路
５１    アナログ・デジタル（ＡＤ）変換回路
５２    オーディオ信号重畳回路
６    受信側入力回路
６１    オーディオ信号分離回路
【図１】
2006166209.tif 000003
【図２】
2006166209.tif 000004
【図３】
2006166209.tif 000005
【図４】
2006166209.tif 000006
【図５】
2006166209.tif 000007
【図６】
2006166209.tif 000008